(57)【特許請求の範囲】
【請求項１】
外部よりワイヤレス信号で送信された点灯信号を受信する信号受信部、信号受信部が受信した点灯信号に基づいて照明負荷部の点灯状態を制御する器具制御部、及び、壁スイッチを介して電源供給されて各部の動作電源を生成する電源部よりなる照明器具本体と、人の存否を検知する人体センサ部、照明器具本体へワイヤレス信号で点灯信号を送信する信号送信部、及び各部の動作を制御するリモコン制御部よりなるリモコン送信器とから構成され、人体センサ部が人を検知すると、リモコン制御部が信号送信部に点灯信号を送信させ、器具制御部が、信号受信部を介して入力された点灯信号に基づいて、照明負荷部の点灯状態を制御する照明装置において、壁スイッチの操作により電源部への電源供給が開始されてから、信号受信部がリモコン送信器から送信された点灯信号を初めて受信するまでの間、器具制御部が照明負荷部を所定の点灯状態で点灯させる初期連続点灯モードで動作するとともに、器具制御部の制御に用いる時間を計時するタイマ部と、初期連続点灯モードにおいて器具制御部がタイマ部の計時に応じて照明負荷部の点灯状態を変化させるか、上記タイマ部の計時と無関係に一定とするかを設定するための設定手段とを照明器具本体に設けたことを特徴とする特徴とする照明装置。
【請求項２】
上記所定の点灯状態が、高輝度点灯状態であることを特徴とする請求項１記載の照明装置。
【請求項３】
上記所定の点灯状態が、一定の調光点灯状態であることを特徴とする請求項１記載の照明装置。
【請求項４】
上記所定の点灯状態が、電源部への電源供給を前回遮断した時点における点灯状態であることを特徴とする請求項１記載の照明装置。
【請求項５】
上記タイマ部が時刻を計時し、初期連続点灯モードにおいて、器具制御部が上記タイマ部によって計時された時刻に応じて照明負荷部の点灯状態を変化させることを特徴とする請求項１記載の照明装置。
【請求項６】
上記タイマ部が電源供給開始時から一定時間を限時し、初期連続点灯モードにおいて、上記タイマ部の限時動作が終了するまで、器具制御部が照明負荷部を点灯させることを特徴とする請求項１記載の照明装置。
【請求項７】
上記タイマ部が電源供給開始時からの経過時間を計時し、初期連続点灯モードにおいて、器具制御部が、上記タイマ部によって計時された経過時間に応じて、照明負荷部の点灯状態を連続的に変化させることを特徴とする請求項１記載の照明装置。
【請求項８】
周囲の照度を検知する照度センサ部を照明器具本体に設け、照度センサ部の検知した照度が所定のしきい値よりも暗い場合のみ、器具制御部が人体センサ部の検知信号に基づいて照明負荷部を点灯させることを特徴とする請求項１記載の照明装置。
【発明の詳細な説明】
【０００１】
【発明の属する技術分野】
本発明は、人体センサ部を備えたリモコン送信器を用いて照明負荷部を制御する照明装置に関するものである。
【０００２】
【従来の技術】
従来より、図１０に示すように、壁スイッチ３を介して電源４が供給される照明器具本体１と、照明器具本体１にワイヤレス信号で点灯信号を送出して照明器具本体１の点灯状態を切り替えるリモコン送信器２とから構成される照明装置があった。
【０００３】
通常壁スイッチ３はオンされ、照明器具本体１に電源４が供給されており、照明器具本体１はリモコン送信器２の点灯信号を受信待ちしている。ここで、例えば使用者がリモコン送信器２の操作ボタン２４’を操作すると、リモコン送信器２から照明器具本体１へ点灯信号が赤外光のようなワイヤレス信号で送信され、この点灯信号を照明器具本体１が受信すると、照明器具本体１は照明負荷部の点灯状態を例えば点灯（高輝度点灯状態）→調光（低輝度点灯状態）→豆球→消灯→点灯…というように順次切り替えていた。また、壁スイッチ３をオフして、照明器具本体１への電源供給を一旦遮断した後に、壁スイッチ３をオンして、照明器具本体１への電源供給を再開すると、照明器具本体１は、電源遮断時の点灯状態と同じ点灯状態で照明負荷部を点灯させていた（特開平２−１５８０９２号公報参照）。
【０００４】
この照明器具本体１では、照明負荷部が点灯している状態で壁スイッチ３をオフすると、照明器具本体１への電源供給が遮断されて、照明負荷部が消灯し、その後壁スイッチ３をオンすると、照明器具本体１への電源供給が再開されて、照明負荷部が点灯するので、例えばリモコン送信器２が破損や紛失等によって使用できない場合でも、壁スイッチ３のオン／オフにより、照明器具本体１を点灯／消灯させることができ、実用的には問題なく使用することができた。また、照明負荷部の点灯状態が調光状態（低輝度点灯状態）或いは豆球が点灯された状態で、リモコン送信器２が使用不能になった場合でも、壁スイッチ３を短時間でオフ／オンして、照明器具本体１への電源供給を意図的に微小な一定時間だけ遮断する操作により、照明負荷部の点灯状態を点灯→調光→豆球→消灯→点灯…というように順次切り替えることができるので、実用的には問題なく使用することができた。尚、照明器具本体１への電源供給を意図的に微小な一定時間だけ遮断する操作により、照明負荷部の点灯状態を順次切り替える機能を１・２（ワンツー）機能という。
【０００５】
また、上述した図１０の照明装置において、図１１（ａ）に示すように、リモコン送信器２の代わりに、所定の検知エリアにおける人の存否を検知する人体センサ部１ａを照明器具本体１に設けたものもあり、照明器具本体１は人体センサ部１ａの検知信号に基づいて照明負荷部を点灯させていた。
この照明装置では、図１１（ｂ）に示すように、時刻ｔ12において壁スイッチ３をオンして、照明器具本体１に電源４を供給すると、人体センサ部１ａの出力が安定するまでの間（時刻ｔ12〜ｔ13）、照明器具本体１は人体センサ部１ａの検知信号Ｓ1 と無関係に照明負荷部を点灯させていた。そして、時刻ｔ13になると照明器具本体１は照明負荷部を消灯させ、人体センサ部１ａが検知信号Ｓ1 を発生すると、照明器具本体１はこの検知信号Ｓ1 に基づいて照明負荷部を一定時間点灯させていた。
【０００６】
このように、壁スイッチ３をオンして照明器具本体１への電源供給を開始すると、照明器具本体１は一定時間後に人体センサ部１ａの検知信号Ｓ1 の待機状態となり、照明器具本体１は人体センサ部１ａの検知信号Ｓ1 に基づいて照明負荷部を一定時間点灯させるので、壁スイッチ３をオン／オフして、照明器具本体１に電源４を供給したり遮断したりしても、照明装置を問題なく使用することができる。
【０００７】
また、図１２に示すように、上述した図１０の照明器具本体１において、所定の検知エリアにおいて人の存否を検出する人体センサ部２３をリモコン送信器２に設けたものもあり、人体センサ部２３が人を検知すると、リモコン送信器２が照明器具本体１へワイヤレス信号で点灯信号を送信し、照明器具本体１はこの点灯信号を受信して、照明負荷部を一定時間点灯させていた。
【０００８】
ここで、照明器具本体１は、時刻を計時するタイマ（図示せず）と、照明負荷部の３つの点灯モード及びその開始／終了時間が予め設定されたメモリ（図示せず）とを備えており、照明負荷部の点灯モードが時刻に応じて順次切り替わっていた。例えば照明負荷部の点灯モードＭＤ2 が、図１３（ａ）に示すように、5:00〜18:00 までは”アクティブモード”、 18:00〜22:00 までは”お出迎え点灯モード”、 22:00〜5:00までは”深夜点灯モード”というように設定されており、”アクティブモード”では、図１３（ｂ）に示すように、人体センサ部２３が検知信号Ｓ1 を発生していない場合、照明器具本体１は照明負荷部を消灯させ、例えば時刻ｔ14で人体センサ部２３が検知信号Ｓ1 を発生し、リモコン送信器２が照明器具本体１へ点灯信号を送信すると、照明器具本体１はこの点灯信号を受信して照明負荷部を一定時間点灯させる（高輝度点灯状態）。”お出迎え点灯モード”では、図１３（ｃ）に示すように、人体センサ部２３が検知信号Ｓ1 を発生していない場合、照明器具本体１は照明負荷部を調光点灯させ（低輝度点灯状態）、例えば時刻ｔ15で人体センサ部２３が検知信号Ｓ1 を発生し、リモコン送信器２が照明器具本体１へ点灯信号を送信すると、照明器具本体１はこの点灯信号を受信して照明負荷部を一定時間点灯させる（高輝度点灯状態）。”深夜点灯モード”では、図１３（ｄ）に示すように、人体センサ部２３が検知信号Ｓ1 を発生していない場合、照明器具本体１は照明負荷部を消灯させ、例えば時刻ｔ16で人体センサ部２３が検知信号Ｓ1 を発生し、リモコン送信器２が照明器具本体１へ点灯信号を送信すると、照明器具本体１はこの点灯信号を受信して照明負荷部を一定時間調光点灯させる（低輝度点灯状態）。
【０００９】
ところで、図１４（ａ）に示すように、時刻ｔ17で壁スイッチ３をオンし、照明器具本体１に初めて電源４を投入すると、人体センサ部２３の検知信号Ｓ1 が電気的に安定するまでの間（時刻ｔ17〜時刻ｔ18）、照明器具本体１はリモコン送信器２の点灯信号と無関係に照明負荷部を点灯させた後、時刻ｔ18で照明負荷部を消灯させて、リモコン送信器２からの点灯信号の受信待ち状態となる。その後、人体センサ部２３が検知信号Ｓ1 を発生し、リモコン送信器２から点灯信号が送信されると、照明器具本体１はこの点灯信号を受信して照明負荷部を一定期間点灯させていた。ここで、電源投入時に照明器具本体１が照明負荷部を消灯させたままで、リモコン送信器２からの点灯信号の受信待ち状態となり、人体センサ部２３が人を検知した際にリモコン送信器２から送信される点灯信号に応じて照明器具本体１が照明負荷部を点灯させるようにしたものもある。また、時刻に応じて照明負荷部の点灯モードは順次切り替わっているので、その時点における点灯モードに応じて照明負荷部の点灯状態は異なっている。
【００１０】
【発明が解決しようとする課題】
上述した照明装置の内、図１０に示す照明器具本体１では、リモコン送信器２の破損や紛失などによってリモコン送信器２が使用できない場合でも、壁スイッチ３をオンオフすることにより、照明器具本体１へ電源４を供給したり遮断したりして、照明負荷部を点灯又は消灯させることができ、実用的には特に問題はない。また、図１１に示す照明器具本体１では、壁スイッチ３をオン／オフした場合、照明器具本体１に電源４を投入してから一定時間が経過すると、照明器具本体１は人体センサ部１ａの検知信号待機状態となるので、壁スイッチ３のオンオフにより照明装置を特に問題なく使用することができる。
【００１１】
一方、上述した図１２の照明器具本体１では、図１４（ｂ）に示すように、時刻ｔ19で照明器具本体１に電源４を供給し、電源供給を開始してから一定時間が経過するまでの間（時刻ｔ19〜ｔ20）、照明器具本体１が照明負荷部を点灯させた後、時刻ｔ20で照明器具本体１が照明負荷部を消灯させ、以後リモコン送信器２の点灯信号の受信待ち状態となる。ここで、リモコン送信器２が使用不能な場合、照明器具本体１はリモコン送信器２の点灯信号を受信することができず、照明負荷部は消灯したままになるため、照明器具本体１を壁スイッチ３だけでは使用できないという問題があった。
【００１２】
また、照明負荷部の点灯モードが時刻に応じて順次切り替わっていく場合、特に人体センサ部２３の非検知時に照明器具本体１が照明負荷部を調光点灯（低輝度点灯状態）させるとともに、人体センサ部２３の検知時に照明器具本体１が照明負荷部を全点灯（高輝度点灯状態）させるというような”お出迎え点灯モード”では、リモコン送信器２が使用不能になると、リモコン送信器２から照明器具本体１へ点灯信号が送信されなくなるので、照明器具本体１では照明負荷部を調光点灯させるべきか、或いは、全点灯させるべきかが定まらず、照明器具本体１の状態が不定になるという問題もあった。
【００１３】
このような問題を解決するために、電源投入時に照明器具本体１がリモコン送信器２の点灯信号と無関係に照明負荷部を連続的に点灯させることが考えられるが、この場合、図１４（ｃ）に示すように、照明器具本体１に電源が供給されている間（時刻ｔ21〜ｔ22，時刻ｔ23〜）、照明器具本体１は照明負荷部を点灯し続けるので、照明負荷部を消灯させるためには、天井等に配設された照明器具本体１の設定操作部（図示せず）を使用者が直接操作して、照明器具本体１を点灯状態から解除しなければならず、照明装置の使い勝手が悪くなるという問題があった。
【００１４】
その上、リモコン送信器２が使用不能であれば、壁スイッチ３をオン／オフすることによって、照明器具本体１を点灯／消灯させることはできるが、逆にリモコン送信器２が使用可能で、リモコン送信器２と壁スイッチ３とを併用する場合、照明器具本体１を設定操作部の操作によって点灯状態から解除しても、照明器具本体１への電源供給を一旦遮断し、例えば時刻ｔ24で電源供給を再開すると、照明器具本体１は再び点灯状態となるので、照明器具本体１に電源を供給する度に、例えば時刻ｔ25で使用者が照明器具本体１の設定操作部を操作し、照明器具本体１を点灯状態から解除し、リモコン送信器２の点灯信号の受信待ち状態に移行させなければ、人体センサ部２３の検知信号Ｓ1 によって照明器具本体１の照明負荷部を点灯制御することができず、非常に使い勝手の悪いものとなり、照明負荷部の点灯状態を人体センサ部２３の検知信号や操作ボタン２４’の操作によって制御するという設計思想と逆行し、人体センサ部２３を備えていない照明器具本体１よりも不便なものとなるという問題があった。
【００１５】
本発明は上記問題点に鑑みて為されたものであり、その目的とするところは、リモコン送信器に設けられた人体センサ部の検知信号に応じて照明負荷部を点灯させ、リモコン送信器が使用可能な場合も、使用不能の場合も実用上問題なく使用することができる照明装置を提供することにある。
【００１６】
【課題を解決するための手段】
請求項１の発明では、上記目的を達成するために、外部よりワイヤレス信号で送信された点灯信号を受信する信号受信部、信号受信部が受信した点灯信号に基づいて照明負荷部の点灯状態を制御する器具制御部、及び、壁スイッチを介して電源供給されて各部の動作電源を生成する電源部よりなる照明器具本体と、人の存否を検知する人体センサ部、照明器具本体へワイヤレス信号で点灯信号を送信する信号送信部、及び各部の動作を制御するリモコン制御部よりなるリモコン送信器とから構成され、人体センサ部が人を検知すると、リモコン制御部が信号送信部に点灯信号を送信させ、器具制御部が、信号受信部を介して入力された点灯信号に基づいて、照明負荷部の点灯状態を制御する照明装置において、壁スイッチの操作により電源部への電源供給が開始されてから、信号受信部がリモコン送信器から送信された点灯信号を初めて受信するまでの間、器具制御部が照明負荷部を所定の点灯状態で点灯させる初期連続点灯モードで動作するとともに、器具制御部の制御に用いる時間を計時するタイマ部と、初期連続点灯モードにおいて器具制御部がタイマ部の計時に応じて照明負荷部の点灯状態を変化させるか、上記タイマ部の計時と無関係に一定とするかを設定するための設定手段とを照明器具本体に設けたことを特徴とする。
【００１７】
請求項２の発明では、請求項１の発明において、上記所定の点灯状態が高輝度点灯状態であり、請求項３の発明では、上記所定の点灯状態が一定の調光点灯状態であり、請求項４の発明では、上記所定の点灯状態が電源部への電源供給を前回遮断した時点における点灯状態であることを特徴とする。
【００１８】
請求項５の発明では、請求項１の発明において、上記タイマ部が時刻を計時し、初期連続点灯モードにおいて、器具制御部が上記タイマ部によって計時された時刻に応じて照明負荷部の点灯状態を変化させ、請求項６の発明では、上記タイマ部が電源供給開始時から一定時間を限時し、初期連続点灯モードにおいて、上記タイマ部の限時動作が終了するまで、器具制御部が照明負荷部を点灯させ、請求項７の発明では、上記タイマ部が電源供給開始時からの経過時間を計時し、初期連続点灯モードにおいて、器具制御部が、上記タイマ部によって計時された経過時間に応じて、照明負荷部の点灯状態を連続的に変化させることを特徴とする。
【００１９】
請求項８の発明では、請求項１の発明において、周囲の照度を検知する照度センサ部を照明器具本体に設け、照度センサ部の検知した照度が所定のしきい値よりも暗い場合のみ、器具制御部が人体センサ部の検知信号に基づいて照明負荷部を点灯させたことを特徴とする。
【００２１】
【発明の実施の形態】
本発明の実施の形態を図面を参照して説明する。
（実施形態１）
本実施形態の照明装置は、図１に示すように、照明器具本体１及びリモコン送信器２から構成される。
【００２２】
照明器具本体１は、後述する各部の動作を制御する器具制御部１１と、外部からワイヤレス信号で送信された点灯信号を受信する信号受信部１２と、周囲の照度を検知する照度センサ部１３と、照明器具本体１の様々な制御に用いる時間を計時するタイマ部１４と、プログラムや様々な設定情報を記憶するＲＯＭ及びデータを記憶するＲＡＭからなるメモリ部１５と、器具制御部１１の出力に応じて点灯する照明負荷部１６と、照明負荷部１６の点灯／消灯操作などの操作や様々な設定を行うための設定手段たる設定操作部１７と、照明器具本体１の各部に動作電源を供給する電源部１８と、電源部１８の電源供給停止を検出する電源検出部１９とから構成される。
【００２３】
リモコン送信器２は、後述する各部の動作を制御するリモコン制御部２１と、照明器具本体１へ赤外線光のような光信号からなるワイヤレス信号で点灯信号を送信する信号送信部２２と、リモコン送信器２の周囲の検知エリアにおいて人の有無を検知する人体センサ部２３と、照明器具本体１を遠隔操作したり、各種の設定を行うためのリモコン操作部２４と、リモコン送信器２の各部に動作電源を供給する電源部２５とから構成される。
【００２４】
通常、照明器具本体１はリモコン送信器２からワイヤレス信号で送信される点灯信号の受信待ち状態となっており、例えばリモコン送信器２の人体センサ部２３が人を検知したり、使用者がリモコン操作部２４を操作すると、リモコン制御部２１は信号送信部２２に照明器具本体１へワイヤレス信号で点灯信号を送信させる。この時、照明器具本体１では、信号受信部１２がリモコン送信器２から送信された点灯信号を受信し、器具制御部１１がこの点灯信号に基づいて照明負荷部１６を点灯させるとともに、タイマ部１４に一定時間の限時動作を開始させ、タイマ部１４の限時動作が終了するまでに、信号受信部１２が新たに点灯信号を受信しなければ、器具制御部１１が照明負荷部１６を消灯させる。
【００２５】
この照明装置の動作を図２のタイムチャートを参照して説明する。照明器具本体１の電源部１８が例えば壁スイッチを介して電源供給されている場合、時刻ｔ1 までは壁スイッチの操作によって電源部１８への電源供給が遮断されており、器具制御部１１をはじめ照明器具本体１全体への電源供給が遮断されているので、照明負荷部１６は消灯する。その後、時刻ｔ1 で壁スイッチを操作して、照明器具本体１への電源供給を開始すると、器具制御部１１の制御モードＭＤ1 は、例えばメモリ部１５に予め記憶されているプログラムによって初期連続点灯モードになり、時刻ｔ1 で照明器具本体１に電源が投入されてから、時刻ｔ2 で信号受信部１２がリモコン送信器２から点灯信号を初めて受信するまでの間（期間Ｔ1 ）、器具制御部１１が照明負荷部１６を高輝度点灯状態で点灯させる。
【００２６】
この初期連続点灯モードにおいて、時刻ｔ2 で人体センサ部２３が検知信号Ｓ1 を発生すると、リモコン制御部２１は信号送信部２２に照明器具本体１へワイヤレス信号で点灯信号を送信させる。照明器具本体１では、リモコン送信器２の点灯信号が信号受信部１２を介して器具制御部１１に入力されると、器具制御部１１の制御モードＭＤ1 は初期連続点灯モードからリモコン送信器２の点灯信号の受信待ち状態（以下、リモコン制御モードと言う）へ移行し、リモコン送信器２の点灯信号に基づいて照明負荷部１６を一定時間点灯させた後、照明負荷部１６を消灯させる。したがって、使用者が器具制御部１１の制御モードＭＤ1 を初期連続点灯モードからリモコン制御モードへ意識して移行させなくても、照明器具本体１がリモコン送信器２からの点灯信号を初めて受信すると、器具制御部１１はリモコン制御モードへ移行し、リモコン送信器２からの点灯信号に基づいて照明負荷部１６を点灯制御する。
【００２７】
また、タイマ部１４が時刻を計時し、照明器具本体１の制御モードＭＤ1 がタイマ部１４によって計時された時刻に応じて変化する場合でも、電源供給開始時からリモコン送信器２の送信信号を初めて受信するまでの間、照明器具本体１の動作モードＭＤ1 は初期連続点灯モードに固定されるので、照明負荷部１６は高輝度点灯状態のままで点灯し続ける。
【００２８】
ここで、リモコン送信器２が破損や紛失等によって使用不能な場合、照明器具本体１はリモコン送信器２からの点灯信号を受信できないため、器具制御部１１の制御モードＭＤ1 は初期連続点灯モードのままとなり、器具制御部１１は照明負荷部１６を全点灯させる。したがって、例えば壁スイッチを操作して、電源部１８への電源供給をオン／オフすることにより、照明負荷部１６を点灯／消灯させることができ、壁スイッチで操作される従来の照明装置と同じように使用することができる。
【００２９】
このように、器具制御部１１に初期連続点灯モードを設けることにより、リモコン送信器２が使用可能な場合でも、リモコン送信器２が使用不可能な場合でも、照明器具本体１を実用上問題なく使用することができ、照明器具本体１の使い勝手を良くすることができる。
尚、本実施形態では、初期連続点灯モードにおいて器具制御部１１が照明負荷部１６を全点灯させているが（高輝度点灯状態）、図３に示すように、時刻ｔ1 で照明器具本体１への電源供給を開始してから、照明器具本体１がリモコン送信器２の点灯信号を初めて受信するまでの初期連続点灯モードにおいて、器具制御部１１が照明負荷部１６を所定の調光レベルＬ1 で調光点灯し、時刻ｔ2 で人体センサ部１３が検知信号Ｓ1 を発生し、リモコン送信器２の点灯信号が信号受信部１２を介して器具制御部１１に初めて入力されると、器具制御部１１が初期連続点灯モードからリモコン制御モードに移行して、照明負荷部１６を一定時間全点灯させるようにしても良い。ここで、調光レベルＬ1 は、例えば照明器具本体１の設定操作部１７を用いて予め設定しても良いし、リモコン送信器２からワイヤレス信号で送信された設定信号によって、照明器具本体１のメモリ部１５に調光レベルＬ1 を設定しておくことにより、照明負荷部１６の調光レベルを任意の調光レベルに設定しても良い。
【００３０】
また、図４に示すように、照明器具本体１への電源供給が遮断された時刻ｔ0 における照明負荷部１６の調光レベルＬ2 をメモリ部１５に記憶しておき、時刻ｔ1 で照明器具本体１への電源供給が再開されると、初期連続点灯モードにおいて、器具制御部１１が、メモリ部１５に記憶された調光レベルＬ2 を読み込み、前回電源遮断時と同じ調光レベルで照明負荷部１６を点灯させても良い。
【００３１】
さらに、タイマ部１４が、照明器具本体１に電源供給を開始した時点からの経過時間を計時しており、初期連続点灯モードにおいて、器具制御部１１がタイマ部１４の計時に応じて照明負荷部１６の調光レベルを変化させても良い。例えば、図５に示すように、照明器具本体１に電源が供給された時刻ｔ1 で、器具制御部１１が照明負荷部１６を全点灯（高輝度点灯状態）させた後、タイマ部１４の計時に応じて照明負荷部１６の調光レベルを除々に低下させ、時刻ｔ2 で人体センサ部２３が検知信号Ｓ1 を発生し、リモコン送信器２が照明器具本体１へ点灯信号を送信すると、リモコン送信器２の点灯信号が信号受信部１２を介して器具制御部１１に入力され、器具制御部１１はこの点灯信号に基づいて初期連続点灯モードからリモコン制御モードへ移行するとともに、照明負荷部１６を一定時間全点灯（高輝度点灯状態）させる。
【００３２】
また更に、タイマ部１４が時刻を計時し、照明負荷部１６の点灯モードＭＤ2 がタイマ部１４の時刻に応じて”お出迎え点灯モード”→”深夜点灯モード”→”アクティブモード”…というように順次変化する場合、初期連続点灯モードにおいて、器具制御部１１が、その時点における点灯モードＭＤ2 で照明負荷部１６を点灯させても良い。尚、各点灯モードＭＤ2 は従来例で説明した点灯モードと同様であるので、その説明は省略する。
【００３３】
例えば、図６のタイムチャートに示すように、時刻ｔ26で人体センサ部２３が検知信号Ｓ1 を発生して、リモコン送信器２から照明器具本体１へ点灯信号が送信されると、この点灯信号は信号受信部１２を介して器具制御部１１に入力される。この時、照明負荷部１６の点灯モードＭＤ2 は”お出迎え点灯モード”なので、器具制御部１１は照明負荷部１６を高輝度点灯状態で一定時間点灯させた後、所定の調光レベルＬ1 で点灯させる。時刻ｔ27で電源部１８への電源供給を遮断して、照明負荷部１６を消灯した後に、時刻ｔ28で電源部１８への電源供給を再開すると、器具負荷部１１は初期連続点灯モードになる。この時、照明負荷部１６の点灯モードＭＤ2 は”お出迎え点灯モード”のままなので、器具制御部１１は照明負荷部１６を高輝度点灯状態で点灯させる。その後、タイマ部１４の計時した時刻に応じて、時刻ｔ29で照明負荷部１６の点灯モードＭＤ2 が”お出迎え点灯モード”から”深夜点灯モード”へ移行すると、器具制御部１１は”深夜点灯モード”の調光レベルＬ2 で照明負荷部１６を点灯させる。
【００３４】
その後、時刻ｔ30で人体センサ部２３が検知信号Ｓ1 を発生し、照明器具本体１が電源供給開始後初めてリモコン送信器２の点灯信号を受信すると、器具制御部１１の動作モードＭＤ1 が初期連続点灯モードからリモコン制御モードへ移行するとともに、照明負荷部１６を調光レベルＬ2 で一定時間点灯させる。また、時刻ｔ31になると、照明負荷部１６の点灯モードＭＤ2 が”深夜点灯モード”から”アクティブモード”へ移行し、時刻ｔ31以降に人体センサ部２３が検知信号Ｓ1 を発生し、リモコン送信器２が照明器具本体１へ点灯信号を送信すると、リモコン送信器２の点灯信号が信号受信部１２を介して器具制御部１１に入力され、器具制御部１１はこの点灯信号に基づいて照明負荷部１６を高輝度点灯状態で一定時間点灯させる。
【００３５】
ここで設定操作部１７の設定によって、初期連続点灯モードにおいて、照明負荷部１６の点灯モードＭＤ2 を固定とするか、タイマ部１４の計時に応じて切り替えるかを選択するようにしてある。なお設定手段として設定操作部１７を用いる代わりに、上述の１・２機能やリモコン送信器２の操作等によって、初期連続点灯モードにおいて、照明負荷部１６の点灯モードＭＤ2 を固定とするか、タイマ部１４の計時に応じて切り替えるかを選択するようにしても良い。
【００３６】
（実施形態２）
本実施形態では、実施形態１の照明装置において、器具制御部が周囲の照度に応じて照明負荷部の点灯状態を変化させている。なお、照明装置の構成は実施形態１と同様であるので、その説明は省略する。
図１に示すように、照明器具本体１は照度センサ部１３を備えており、照度センサ部１３は照明器具本体１の周囲の照度を検出している。そして、照度センサ部１３の検出信号が例えばメモリ部１５に予め設定された照度のしきい値Ａよりも暗い場合のみ、器具制御部１１は照明負荷部１６を点灯させている。
【００３７】
この照明装置の動作を図７のタイムチャートを参照して説明する。時刻ｔ3 で壁スイッチなどを用いて照明器具本体１への電源供給を開始してから、時刻ｔ5 で照明器具本体１がリモコン送信器２の点灯信号を初めて受信するまでの間、器具制御部１１の制御モードＭＤ1 は初期連続点灯モードとなる。
この初期連続点灯モードにおいて、時刻ｔ3 〜ｔ4 では照度センサ部１３の検知信号Ｓ2 がしきい値Ａよりも明るいので、器具制御部１１は照明負荷部１６を点灯させず、消灯状態を維持する。その後、時刻ｔ4 で照度センサ部１３の検知信号Ｓ2 がしきい値Ａを下回ると、器具制御部１１は照明負荷部１６を高輝度点灯状態で点灯させる。そして、時刻ｔ5 で人体センサ部２３が検知信号Ｓ1 を発生して、リモコン送信器２が照明器具本体１へ点灯信号を送信すると、照明器具本体１では、リモコン送信器２の点灯信号が信号受信部１２を介して器具制御部１１に入力され、器具制御部１１がこの点灯信号に基づいて照明負荷部１６を高輝度点灯状態で一定時間点灯させるとともに、その制御モードＭＤ1 が初期連続点灯モードからリモコン制御モードへ移行する。また、時刻ｔ6 になると、照度センサ部１３の検知信号Ｓ2 がしきい値Ａよりも再び明るくなるので、時刻ｔ6 以降に人体センサ部２３が検知信号Ｓ1 を発生し、照明器具本体１がリモコン送信器２からの点灯信号を受信しても、器具制御部１１は照明負荷部１６を点灯させず、消灯状態を維持する。
【００３８】
ここで、照度のしきい値Ａは例えばメモリ部１５に予め設定されているが、リモコン送信器２から送信された設定信号でしきい値Ａを設定しても良いし、照明器具本体１の設定操作部１７を操作してしきい値Ａを設定しても良いし、上述の１・２機能などを用いて設定しても良く、しきい値Ａを任意の値に設定することができる。また、照度センサ部１３の検知信号Ｓ2 を単にしきい値Ａとの明暗の比較に用いるだけではなく、周囲の照度が所定の設定値になるように、照度センサ部１３の検知信号Ｓ2 をフィードバックして、照明負荷部１６を調光制御しても良い。
【００３９】
尚、照明器具本体１の操作設定部１７による設定や、上述した電源部１８の１・２機能や、リモコン送信器２から送信される設定信号などによって、初期連続点灯モードにおいて、照度センサ部１３の照度の検知信号Ｓ2 に応じて照明負荷部１６の点灯状態を変化させるか、或いは、照度センサ部１３の照度の検出信号Ｓ2 と無関係に照明負荷部１６を一定の点灯状態に維持するかを選択しても良い。
【００４０】
（実施形態３）
本実施形態では、実施形態１の照明装置において、初期連続点灯モードにおいて電源供給開始時から一定時間が経過するまでの間のみ照明負荷部を点灯させている。尚、照明装置の構成は、実施形態１と同様であるのでその説明は省略する。
【００４１】
この照明装置の動作を図８のタイムチャートに基づいて説明する。器具制御部１１の制御モードＭＤ1 は、時刻ｔ7 で電源が投入されてから、時刻ｔ9 で照明器具本体１がリモコン送信器２の点灯信号を初めて受信するまでの間、初期連続点灯モードとなり、器具制御部１１は照明負荷本体１６を例えば高輝度点灯状態で点灯させるとともに、タイマ部１４に所定のカウント値ＣＴ（例えば、６時間）の限時動作を開始させる。そして、時刻ｔ8 でタイマ部１４の限時動作が終了すると、器具制御部１１は照明負荷部１６を消灯させ、照明器具本体１がリモコン送信器２から点灯信号を初めて受信するまでの間、照明負荷部１６の消灯状態を維持する。
【００４２】
そして、時刻ｔ9 で人体センサ部２３が検知信号Ｓ1 を発生すると、リモコン制御部２１は、人体センサ部２３の検知信号Ｓ1 に基づいて信号送信部２２から照明器具本体１へ点灯信号を送信させる。照明器具本体１では、器具制御部１１に信号受信部１２を介して点灯信号が入力されると、器具制御部１１が照明負荷部１６を一定時間点灯させるとともに、その制御モードＭＤ1 が初期連続点灯モードからリモコン制御モードへ移行する。
【００４３】
ここで、図９に示すように、タイマ部１４がカウント値ＣＴの限時動作を終了する前の時刻ｔ10において、人体センサ部２３が検知信号Ｓ1 を発生し、器具制御部１１に信号受信部１２を介してリモコン送信器２の点灯信号が初めて入力されると、器具制御部１１の制御モードＭＤ1 が初期連続点灯モードからリモコン制御モードへ移行するとともに、器具制御部１１が照明負荷部１６を一定時間点灯させる。
【００４４】
このように、初期連続点灯モードにおいて、照明負荷部１６の点灯時間をタイマ部１４の限時時間以内に設定しているので、例えば使用者の長期留守中に停電が発生しても、復電してから使用者が帰ってくるまで（リモコン送信器２から点灯信号が初めて送信されるまで）の間、照明負荷部１６が点灯し続けることがなく、照明負荷部１６が無駄に点灯されるのを防止できる、また、リモコン送信器２が使用不能な場合でも、例えば壁スイッチを用いて照明器具本体１への電源供給を入／切するだけで、タイマ部１４の限時動作が終了するまでの数時間、照明負荷部１６を連続的に点灯させることができるので、照明装置の使い勝手が向上する。
【００４５】
尚、本実施形態では、初期連続点灯モードにおいて、タイマ部１４が一定時間の限時動作を終了すると、器具制御部１１が照明負荷部１６を点灯状態から消灯状態に移行させているが、タイマ部１４が一定時間の限時動作を終了すると、器具制御部１１が照明負荷部１６を点灯状態（高輝度点灯状態）から調光状態（低輝度点灯状態）へ移行させても良いし、タイマ部１４の限時動作に応じて、器具制御部１１が照明負荷部１６の調光レベルを除々に変化させてもよい。また、初期連続点灯モードにおいて、タイマ部１４を複数設けてもよい。
【００４６】
また、設定操作部１７の操作や上述した１・２機能やリモコン送信器２からの設定信号などによって、初期連続点灯モードにおいて、器具制御部１１がタイマ部１４の限時時間内のみ照明負荷部１６を点灯させるか、或いは、器具制御部１１がタイマ部１４の限時動作と無関係に照明負荷部１６を点灯させるかを選択するようにしても良い。
【００４７】
【発明の効果】
請求項１の発明は、上述のように、外部よりワイヤレス信号で送信された点灯信号を受信する信号受信部、信号受信部が受信した点灯信号に基づいて照明負荷部の点灯状態を制御する器具制御部、及び、壁スイッチを介して電源供給されて各部の動作電源を生成する電源部よりなる照明器具本体と、人の存否を検知する人体センサ部、照明器具本体へワイヤレス信号で点灯信号を送信する信号送信部、及び各部の動作を制御するリモコン制御部よりなるリモコン送信器とから構成され、人体センサ部が人を検知すると、リモコン制御部が信号送信部に点灯信号を送信させ、器具制御部が、信号受信部を介して入力された点灯信号に基づいて、照明負荷部の点灯状態を制御する照明装置において、壁スイッチの操作により電源部への電源供給が開始されてから、信号受信部がリモコン送信器から送信された点灯信号を初めて受信するまでの間、器具制御部が照明負荷部を所定の点灯状態で点灯させる初期連続点灯モードで動作するとともに、器具制御部の制御に用いる時間を計時するタイマ部と、初期連続点灯モードにおいて器具制御部がタイマ部の計時に応じて照明負荷部の点灯状態を変化させるか、上記タイマ部の計時と無関係に一定とするかを設定するための設定手段とを照明器具本体に設けており、請求項２の発明は、上記所定の点灯状態が高輝度点灯状態であり、請求項３の発明は、上記所定の点灯状態が一定の調光点灯状態であり、請求項４の発明は、上記所定の点灯状態が電源部への電源供給を前回遮断した時点における点灯状態であるので、リモコン送信器が破損や紛失などによって使用不能で、リモコン送信器から点灯信号が送信されることがない場合でも、器具制御部は初期連続点灯モードで動作し続け、照明負荷部を所定の点灯状態で点灯させるため、電源部への電源供給をオン／オフすることによって、照明負荷部を点灯／消灯させることができる。また、リモコン送信器が使用可能な場合、器具制御部がリモコン送信器からの点灯信号を受信すると、器具制御部は初期連続点灯モードから抜け出し、リモコン送信器からの点灯信号に基づいて照明負荷部の点灯状態を制御するので、リモコン送信器からの点灯信号で照明負荷部の点灯状態を切り替えることができる。よって、リモコン送信器が使用可能な場合でも、リモコン送信器が使用不能な場合でも実用上問題なく使用することができ、照明装置の使い勝手を向上できるという効果がある。
【００４９】
請求項５の発明は、上記タイマ部が時刻を計時し、初期連続点灯モードにおいて、器具制御部が上記タイマ部によって計時された時刻に応じて照明負荷部の点灯状態を変化させているので、照明負荷部の点灯状態を１日の各時間帯における最適な点灯状態に設定できるという効果がある。請求項６の発明は、上記タイマ部が電源供給開始時から一定時間を限時し、初期連続点灯モードにおいて、上記タイマ部の限時動作が終了するまで、器具制御部が照明負荷部を点灯させているので、例えば使用者の長期留守中に停電が発生した場合、復電してから信号受信部が点灯信号を初めて受信するまでの間、照明負荷部が点灯しっぱなしになるのを防止できるという効果がある。
【００５０】
請求項７の発明は、上記タイマ部が電源供給開始時からの経過時間を計時し、初期連続点灯モードにおいて、器具制御部が、上記タイマ部によって計時された経過時間に応じて、照明負荷部の点灯状態を連続的に変化させているので、請求項１の発明と同様、初期連続点灯モードにおいて照明負荷部の点灯状態を電源供給開始時からの経過時間に応じて変化させることができるという効果がある。
【００５１】
請求項８の発明は、周囲の照度を検知する照度センサ部を照明器具本体に設け、照度センサ部の検知した照度が所定のしきい値よりも暗い場合のみ、器具制御部が人体センサ部の検知信号に基づいて照明負荷部を点灯させているので、周囲が明るく照明が不要な場合に照明負荷部が点灯するのを防止できるという効果がある。
【図面の簡単な説明】
【図１】実施形態の照明装置を示すブロック図である。
【図２】同上の動作を示すタイムチャートである。
【図３】同上の別の動作を示すタイムチャートである。
【図４】同上のまた別の動作を示すタイムチャートである。
【図５】同上のさらに別の動作を示すタイムチャートである。
【図６】同上のまた更に別の動作を示すタイムチャートである。
【図７】実施形態２の照明装置の動作を示すタイムチャートである。
【図８】実施形態３の照明装置の動作を示すタイムチャートである。
【図９】同上の別の動作を示すタイムチャートである。
【図１０】従来の照明装置を示す概略構成図である。
【図１１】従来の別の照明装置を示し、（ａ）は概略構成図、（ｂ）はタイムチャートである。
【図１２】同上のまた別の照明装置を示す概略構成図である。
【図１３】（ａ）〜（ｄ）は同上の動作を示すタイムチャートである。
【図１４】（ａ）〜（ｄ）は同上の別の動作を示すタイムチャートである。
【符号の説明】
１    照明器具本体
２    リモコン送信器
１１  器具制御部
１２  信号受信部
１６  照明負荷部
１８  電源部
２１  リモコン制御部
２２  信号送信部
２３  人体センサ部
【図１】
0003809700.tif 000002
【図２】
0003809700.tif 000003
【図３】
0003809700.tif 000004
【図４】
0003809700.tif 000005
【図５】
0003809700.tif 000006
【図６】
0003809700.tif 000007
【図７】
0003809700.tif 000008
【図８】
0003809700.tif 000009
【図９】
0003809700.tif 000010
【図１０】
0003809700.tif 000011
【図１１】
0003809700.tif 000012
【図１２】
0003809700.tif 000013
【図１３】
0003809700.tif 000014
【図１４】
0003809700.tif 000015